(57)【要約】【課題】  プラグの形状が異なる地域においても、電気製品が簡単に使用できる電源コンセントを提供すること。【解決手段】  ボックス部１０と、前記ボックス部１０に設けられたプラグ差込口１２とを有する電源コンセント１において、前記ボックス部１０の一部にアダプタープラグＰを収納してなる収納部１４を設けたことを特徴とする電源コンセント１。【選択図】図１
2010092825.tif 000002
【特許請求の範囲】
【請求項１】
ボックス部と、前記ボックス部に設けられたプラグ差込口とを有する電源コンセントにおいて、前記ボックス部の一部にアダプタープラグを収納してなる収納部を設けたことを特徴とする電源コンセント。
【請求項２】
前記アダプタープラグと、前記ボックス部または前記収納部とが、連結部材によって連結されてなることを特徴とする請求項１に記載の電源コンセント。
【発明の詳細な説明】
【技術分野】
【０００１】  本発明は、電源コンセントに関する。
【背景技術】
【０００２】  世界のＡＣコンセントの形状は大きく分けて８種類に分けられる。日本やアメリカで使用されているＡタイプ以外に基本的には、Ｂ・Ｃ・ＳＥ・ＢＦ・Ｂ３・Ｏ・Ｏ２タイプの計８種類が存在する（南アフリカの一部では例外的に８種類のどれにも属さないＢ３Ｌタイプが使用されている）。専らＡタイプのみが使用されている地域、即ちアメリカ合衆国（アラスカ、テキサスを除く）、コロンビア共和国、ベネズエラ共和国、ホンジュラス共和国及びサイパン島以外の国や地域において、日本で販売されている電気製品を使用する場合、コンセントの形状が異なる場合があるため、渡航先のコンセントの形状に応じたアダプタープラグを介して電力を得ることになる。とりわけＢまたはＣタイプのコンセントは世界で最も使用頻度が高く、このタイプに適応したアダプタープラグを携帯することで多くの国や地域で日本の電気製品の使用が可能になる。また、アジア、ヨーロッパ等ではＢＦまたはＢ３、オセアニア、アジア等ではＢＦまたはＯ、ヨーロッパ、中近東等ではＣまたはＳＥタイプのコンセントの使用頻度が高く、渡航先に応じ必要なアダプタープラグを選ぶ際のひとつの目安になる。しかしながら、これはあくまでも目安に過ぎず、例えば中華人面共和国においては同国内において８種類すべてのコンセントが使用されており、同国への渡航に際して万全を期するためには８種類のアダプタープラグを携帯しなければならない。このような状況に対応するために組み合わせにより７タイプのコンセントに対応できるアイデア、商品名「シスプラ」や１つのアダプタープラグで２つのタイプのコンセントに対応できるマルチ補助プラグを使用することで７タイプのコンセントに対応できるアイデア、商品名「ぐらツカーズ」が商品化されている（例えば特許文献１参照）。
【特許文献１】  特開２００４−１７８９６１号公報
【発明の開示】
【発明が解決しようとする課題】
【０００３】  しかしながら、複数個のアダプタープラグを携帯しながらの海外旅行は常に紛失等により国内製の電気製品が使用できなくなるリスクがある。
【課題を解決するための手段】
【０００４】  請求項１に記載の発明は、ボックス部と、前記ボックス部に設けられたプラグ差込口とを有する電源コンセントにおいて、前記ボックス部の一部にアダプタープラグを収納してなる収納部を設けたことを特徴とする電源コンセントである。
請求項２に記載の発明は、前記アダプタープラグと、前記ボックス部または前記収納部とが、連結部材によって連結されてなることを特徴とする請求項１に記載の電源コンセントである。
【発明の効果】
【０００５】  本発明によれば、プラグ変換のためのアダプタープラグを携帯せずに、あらゆる渡航先で自国製の電気製品を使用することができる。
【発明を実施するための最良の形態】
【０００６】  以下、本発明を図面を参照しながら更に詳しく説明する。
図１は、本発明の電源コンセントの一例を説明するための斜視図（一部透視図）である。
図１の形態において、本発明の電源コンセント１は、ボックス部１０と、ボックス部１０に設けられたプラグ差込口１２とを有し、ボックス部１０の一部にアダプタープラグＰを収納してなる収納部１４を備えてなる。
図１に示す電源コンセント１は、オーストラリア国内において使用されているＯタイプの電源コンセントを例示している。
また、図１に示す収納部１４は、破線で示すようにボックス部１０の表面から奥行方向（プラグ差込方向）に伸びて設けられ、アダプタープラグＰを収納している。また収納部１４は、蓋部１４２を有する。図１の形態では、アダプタープラグＰは、日本を含むＡタイプの電源コンセント用のプラグ（以下、Ａタイプのプラグともいう）を、Ｏタイプの電源コンセントに適応可能にするものである。すなわち、Ｏタイプのプラグ差込口１２に差込むためのオス部ｍとＡタイプのプラグを受け入れるメス部ｆとを有する。【０００７】  図２は、図１に示す電源コンセントの使用方法を説明するための図である。Ａタイプのプラグを有する電気製品を使用する場合には、収納部１４からアダプタープラグＰを取り出し、オス部ｍをプラグ差込口１２に挿入する。次にメス部ｆにＡタイプのプラグを差込むことにより、電気製品を使用することができる。持ち去り防止のためにアダプタープラグＰは収納部１４の任意の場所に、連結部材２０によって連結されている。連結部材は、アダプタープラグＰの差込に不具合が出ないような十分な長さを有する、金属製やゴム製の部材が挙げられる。このように、渡航先のホテル等に図１に示すコンセントが設置されている場合、Ｏタイプ並びにＡタイプのプラグを有する電気製品を使用する限りにおいて、アダプタープラグを持参する必要がなくなる。なお、ボックス部１０は収納部１４を設けることを除き、従来公知のものであればよい。
また、ボックス部１０は、通常、電源配線を引き込むために奥行方向（プラグ差込方向）にスペースが設けられており、収納部１４を形成するために壁部等に特別な工事を行なう必要はない。【０００８】  前述の図１に示した電源コンセント１は、ＯタイプまたはＡタイプのプラグのみを使用する形態であるが、図３に示す電源コンセント２は、あらゆる地域からの渡航者に対応可能な電源コンセントである。なお図３は、図１同様にホスト国をオーストラリアとした場合を示している。【０００９】  図３に示す電源コンセント２は、図１の形態と同様に、ボックス部１０と、ボックス部１０に設けられたプラグ差込口１２とを有し、ボックス部１０の一部にアダプタープラグＰを収納してなる収納部１４を備えてなる。また収納部１４は、蓋部１４２を有する。図３に示す収納部１４は、破線で示すようにボックス部１０の表面から奥行方向（プラグ差込方向）に伸びて設けられ、アダプタープラグＰ１〜Ｐｎを収納している。アダプタープラグＰ１〜Ｐｎは、Ａ、Ｂ、Ｃ、ＳＥ、ＢＦ、Ｂ３、Ｏ、Ｏ２タイプから選択された複数のアダプタープラグであり、好ましくは、上記７種すべてを有するものである。渡航者は、持参した電気製品に適合するアダプタープラグを、上記Ｐ１〜Ｐｎの中から選択することができる。【００１０】  図４は、図３に示す電源コンセントの使用方法を説明するための図である。Ｏタイプの電源コンセントに適応する電気製品を使用する場合（例：オーストラリアの国内旅行者、ニュージーランド、トンガ王国からの渡航者）、通常通りに電気製品のプラグをコンセント差込口に挿入すれば良い。また、Ｏタイプ以外のプラグを有する電気製品を使用する場合には、収納部１４からアダプタープラグＰ１〜Ｐｎをつまみ出し、この中から適合するものを選び、これを介して電気製品のプラグを電源コンセントにつなぐことにより電力が得られる。【００１１】  なお、図３〜図４に示す形態においても、アダプラープラグ持ち去り防止のために、アダプタープラグＰ１〜Ｐｎと、収納部１４の任意の場所とを、連結部材２０によって連結するのが好ましい。
図３〜図４に示す形態では、渡航者は、いかなる地域から渡航した場合でも、アダプタープラグの持参が不要となる。【００１２】  図５は、本発明の電源コンセントの別の形態を説明するための斜視図である。図５の形態における電源コンセントは、、ボックス部１０の表面に係止部材１８を設けることにより、収納部１４を形成し、２種類のアダプタープラグＰを収納している。使用時は、係止部材１８から所望のアダプタープラグを取り外し、持参の電気製品と接続すればよい。なお図示していないが、本形態においてもアダプタープラグＰの持ち去り防止のために、アダプタープラグＰと、収納部１４の任意の場所とを、連結部材によって連結するのが好ましい。【００１３】  図６は、本発明の電源コンセントの別の形態を説明するための斜視図（一部透視図）である。
図６の形態では、可撓性部材２００が連結部Ｌ（例えばネジ止め）によりボックス部１０に連結されている。可撓性部材２００は、連結部Ｌから下方に伸び、収納部１４の蓋部を兼ねている。また、可撓性部材２００は、アダプタープラグＰのメス部ｆが外部に露出するように、収納部１４に収納されたアダプタープラグＰと連結している。例えば可撓性部材２００に適当サイズの孔部を設け、この孔部にアダプタープラグＰを途中まで挿入することにより、アダプタープラグＰのメス部ｆを外部に露出させることができる。該孔部とアダプタープラグとは、接着剤等を利用して固着させてもよい。なお、可撓性部材２００の材質は、例えばゴムであることができる。【００１４】  図７は、図６に示す電源コンセントの使用方法を説明するための図である。
図７（ａ）〜（ｂ）に示すように、渡航者は持参した電気製品のプラグをアダプタープラグＰのメス部ｆに差込む。次に図７（ｃ）〜（ｄ）に示すように、アダプタープラグＰを可撓性部材２００とともに上方に持ち上げ、アダプタープラグＰをプラグ差込口１２に差込む。
この形態では、一連のプロセスを片手で、しかも掴み替えることなく遂行することができ好ましい。
なお、可撓性部材２００は、アダプタープラグＰ付近の材質を、弾力性の少ないものとしてもよい。【００１５】  また、可撓性部材２０に替えて、硬質部材を蝶番等により連結し、アダプタープラグをプラグ差込口に案内するようにしてもよい。
【図面の簡単な説明】
【００１６】
【図１】本発明の電源コンセントの一例を説明するための斜視図（一部透視図）である。
【図２】図１に示す電源コンセントの使用方法を説明するための図である。
【図３】本発明の電源コンセントの別の形態を説明するための斜視図である。
【図４】図３に示す電源コンセントの使用方法を説明するための図である。
【図５】本発明の電源コンセントの別の形態を説明するための斜視図である。
【図６】本発明の電源コンセントの別の形態を説明するための斜視図（一部透視図）である。
【図７】図６に示す電源コンセントの使用方法を説明するための図である。
【符号の説明】
【００１７】１，２  電源コンセント
１０  ボックス部
１２  プラグ差込口
１４  収納部
１８  係止部材
２０  連結部材
２００  可撓性部材
Ｐ  アダプタープラグ
ｆ  メス部
ｍ  オス部
【図１】
2010092825.tif 000003
【図２】
2010092825.tif 000004
【図３】
2010092825.tif 000005
【図４】
2010092825.tif 000006
【図５】
2010092825.tif 000007
【図６】
2010092825.tif 000008
【図７】
2010092825.tif 000009